(57)【要約】【課題】音楽タグ対話システム及び音楽タグ対話方法を提供する。【解決手段】本発明に係る音楽タグ対話システム及び音楽タグ対話方法の音楽タグ対話方法は、少なくとも１つの対話型音楽タグ及び対話型音楽タグ読み取り装置に適用され、前記対話型音楽タグ対話方法は、前記対話型音楽タグが前記対話型音楽タグ読み取り装置に接近した際に、前記対話型音楽タグに無線エネルギーが出力されるステップと、前記対話型音楽タグのＬＣ共振回路のコイルにオーディオエンベロープ信号が出力されてアナログ音声信号が前記対話型音楽タグ読み取り装置に伝送されるステップと、前記対話型音楽タグ読み取り装置が前記対話型音楽タグに対し出力制御を行った場合、前記無線エネルギー中に制御信号が挿入されるステップと、前記対話型音楽タグ装置が前記対話型音楽タグのＬＣ共振回路により前記制御信号を受信させた際に、前記制御信号に基づいて前記オーディオエンベロープ信号の出力状態が制御されるステップと、を含む。【選択図】図２Ａ
2020144866.tif 000002
【特許請求の範囲】
【請求項１】
対話型音楽タグと、
コイルにより前記対話型音楽タグに無線エネルギーが供給され、且つ前記対話型音楽タグにより伝送される信号が読み取られる対話型音楽タグ読み取り装置と、を備え、
前記対話型音楽タグは、
第一端及び第二端を具備するＬＣ共振回路と、
前記ＬＣ共振回路の第一端及び第二端に接続されるマイクロプロセッサと、をさらに含み、
前記対話型音楽タグが前記対話型音楽タグ読み取り装置に接近すると、前記ＬＣ共振回路が前記対話型音楽タグ読み取り装置から伝送された前記無線エネルギーを受信させ、前記マイクロプロセッサを起動させた後、前記マイクロプロセッサが保存された音声データに基づいてオーディオエンベロープ信号及び逆相オーディオエンベロープ信号を前記ＬＣ共振回路の第一端及び前記ＬＣ共振回路の第二端に出力させ、
また、前記対話型音楽タグ読み取り装置が前記無線エネルギー中に制御信号を挿入し、前記マイクロプロセッサが前記ＬＣ共振回路の第一端または第二端のうちの一端から前記無線エネルギーを受信させ、前記制御信号を復号させると共に、前記制御信号に基づいて前記マイクロプロセッサが前記オーディオエンベロープ信号及び前記逆相オーディオエンベロープ信号の出力状態を制御させることを特徴とする音楽タグ対話システム。
【請求項２】
前記マイクロプロセッサは、第一電源端と、第二電源端と、第一入出力ポートと、第二入出力ポートと、第三入出力ポートと、を備え、前記マイクロプロセッサの第一電源端は前記ＬＣ共振回路の第一端に接続され、前記マイクロプロセッサの第二電源端は前記ＬＣ共振回路の第二端に接続され、前記マイクロプロセッサの第一入出力ポートは前記ＬＣ共振回路の第一端に接続され、前記マイクロプロセッサの第二入出力ポートは前記ＬＣ共振回路の第二端に接続され、前記マイクロプロセッサの第三入出力ポートは前記ＬＣ共振回路の第一端に接続され、
前記マイクロプロセッサの第一入出力ポートからは前記オーディオエンベロープ信号が出力され、前記マイクロプロセッサの第二入出力ポートからは前記逆相オーディオエンベロープ信号が出力され、前記マイクロプロセッサの第三入出力ポートは前記制御信号の復号に用いられることを特徴とする請求項１に記載の音楽タグ対話システム。
【請求項３】
第一入力端と、第二入力端と、第一出力端と、第二出力端と、を含む整流回路を更に備え、前記整流回路の第一入力端は前記ＬＣ共振回路の第一端に接続され、前記整流回路の第二入力端は前記ＬＣ共振回路の第二端に接続され、
前記マイクロプロセッサは第一電源端と、第二電源端と、第一入出力ポートと、第二入出力ポートと、第三入出力ポートと、を具備し、前記マイクロプロセッサの第一電源端は前記整流回路の第一出力端に接続され、前記マイクロプロセッサの第二電源端は前記整流回路の第二出力端に接続され、前記マイクロプロセッサの第一入出力ポートは前記ＬＣ共振回路の第一端に接続され、前記マイクロプロセッサの第二入出力ポートは前記ＬＣ共振回路の第二端に接続され、前記マイクロプロセッサの第三入出力ポートは前記ＬＣ共振回路の第一端に接続され、
また、前記マイクロプロセッサの第三入出力ポートは前記ＬＣ共振回路の第一端に接続され、前記マイクロプロセッサの第一入出力ポートからは前記オーディオエンベロープ信号が出力され、前記マイクロプロセッサの第二入出力ポートからは前記逆相オーディオエンベロープ信号が出力され、前記マイクロプロセッサの第三入出力ポートは前記制御信号の復号に用いられることを特徴とする請求項１に記載の音楽タグ対話システム。
【請求項４】
前記ＬＣ共振回路は、
第一端及び第二端で構成されるインダクタンスであって、前記インダクタンスの第一端は前記ＬＣ共振回路の第一端に接続され、前記インダクタンスの第二端は前記ＬＣ共振回路の第二端に接続されることと、
第一端及び第二端で構成されるコンデンサであって、前記コンデンサの第一端は前記ＬＣ共振回路の第一端に接続され、前記コンデンサの第二端は前記ＬＣ共振回路の第二端に接続されることと、を備えることを特徴とする請求項１に記載の音楽タグ対話システム。
【請求項５】
前記マイクロプロセッサが保存された音声データに基づいて前記オーディオエンベロープ信号及び前記逆相オーディオエンベロープ信号を前記ＬＣ共振回路の第一端及び前記ＬＣ共振回路の第二端に出力させると、前記マイクロプロセッサが前記オーディオエンベロープ信号及び前記逆相オーディオエンベロープ信号を搬送波とし、かつ振幅偏移変調（Ａｍｐｌｉｔｕｄｅ  Ｓｈｉｆｔ  Ｋｅｙｉｎｇ、ＡＳＫ）による変調が行われ、タグ識別コードが前記オーディオエンベロープ信号及び前記逆相オーディオエンベロープ信号に変調されることを特徴とする請求項１に記載の音楽タグ対話システム。
【請求項６】
前記出力状態は再生、停止、早送り、早戻し、一時停止、及び２倍速再生を含むことを特徴とする請求項１に記載の音楽タグ対話システム。
【請求項７】
前記オーディオエンベロープ信号はアナログ音声信号及び共振信号がアナログ変調されることにより獲得され、前記逆相オーディオエンベロープ信号は逆相アナログ音声信号及び前記共振信号が前記アナログ変調されることにより獲得され、
前記共振信号の周波数は前記ＬＣ共振回路の共振周波数に実質的に等しいことを特徴とする請求項１に記載の音楽タグ対話システム。
【請求項８】
少なくとも１つの対話型音楽タグ及び対話型音楽タグ読み取り装置に適用される音楽タグ対話方法であって、
前記対話型音楽タグが前記対話型音楽タグ読み取り装置に接近した際に、
前記対話型音楽タグに無線エネルギーが出力され、前記対話型音楽タグが起動されるステップと、
前記対話型音楽タグのＬＣ共振回路のコイルにオーディオエンベロープ信号が出力されてアナログ音声信号が前記対話型音楽タグ読み取り装置に伝送されるステップと、
前記対話型音楽タグ読み取り装置が前記対話型音楽タグに対し出力制御を行った場合、前記無線エネルギー中に制御信号が挿入されるステップと、
前記対話型音楽タグ装置が前記対話型音楽タグのＬＣ共振回路により前記無線エネルギーを受信させた際に、
前記無線エネルギーに対する復号化が行われ、前記制御信号が復号されるステップと、
前記制御信号に基づいて前記オーディオエンベロープ信号の出力状態が制御されるステップと、を含むことを特徴とする音楽タグ対話方法。
【請求項９】
前記出力状態は再生、停止、早送り、早戻し、一時停止、及び２倍速再生を含むことを特徴とする請求項８に記載の音楽タグ対話方法。
【請求項１０】
前記対話型音楽タグはマイクロプロセッサを備え、前記マイクロプロセッサは第一電源端と、第二電源端と、第一入出力ポートと、第二入出力ポートと、第三入出力ポートと、を含み、前記マイクロプロセッサの第一電源端は前記ＬＣ共振回路の第一端に接続され、前記マイクロプロセッサの第二電源端は前記ＬＣ共振回路の第二端に接続され、前記マイクロプロセッサの第一入出力ポートは前記ＬＣ共振回路の第一端に接続され、前記マイクロプロセッサの第二入出力ポートは前記ＬＣ共振回路の第二端に接続され、前記マイクロプロセッサの第三入出力ポートは前記ＬＣ共振回路の第一端に接続され、
また、前記マイクロプロセッサの第一入出力ポートからは前記オーディオエンベロープ信号が出力され、前記マイクロプロセッサの第二入出力ポートからは前記逆相オーディオエンベロープ信号が出力され、前記マイクロプロセッサの第三入出力ポートは前記制御信号の復号に用いられることを特徴とする請求項８に記載の音楽タグ対話方法。
【請求項１１】
前記ＬＣ共振回路は、
第一端及び第二端で構成されるインダクタンスであって、前記インダクタンスの第一端は前記ＬＣ共振回路の第一端に接続され、前記インダクタンスの第二端は前記ＬＣ共振回路の第二端に接続されることと、
第一端及び第二端で構成されるコンデンサであって、前記コンデンサの第一端は前記ＬＣ共振回路の第一端に接続され、前記コンデンサの第二端は前記ＬＣ共振回路の第二端に接続されることを特徴とする請求項８に記載の音楽タグ対話方法。
【請求項１２】
保存された音声データに基づいて前記ＬＣ共振回路にオーディオエンベロープ信号が出力された場合、前記オーディオエンベロープ信号を搬送波とし、振幅偏移変調（Ａｍｐｌｉｔｕｄｅ  Ｓｈｉｆｔ  Ｋｅｙｉｎｇ、ＡＳＫ）による変調が行われ、タグ識別コードが前記オーディオエンベロープ信号に変調され、対話型音楽タグ読み取り装置がタグのシリアル番号が復号されることを特徴とする請求項８に記載の音楽タグ対話方法。
【発明の詳細な説明】
【技術分野】
【０００１】
本発明は、無線周波数技術の応用に関し、更に詳しくは、音楽タグ対話システム及び音楽タグ対話方法（Ａｎ  ｉｎｔｅｒａｃｔｉｖｅ  ｍｕｓｉｃ  ｔａｇ  ｓｙｓｔｅｍ  ａｎｄ  ａｎ  ｉｎｔｅｒａｃｔｉｖｅ  ｍｅｔｈｏｄ  ｔｈｅｒｅｏｆ）に関する。
【背景技術】
【０００２】
図１は従来のＲＦＩＤタグ回路を示す回路図である。図に示されるように、コイル１０１は外部の磁場に感応し、振動を発生させ、ブリッジ整流によりマイクロプロセッサ１０２に電源を供給する。マイクロプロセッサ１０２は出力ポートＤｏｕｔにより信号をコイルＬｒに変調し、相互誘導によりデータが読み取り装置に返送される。
【０００３】
コストの低下につれてより多くのＲＦＩＤ（Ｒａｄｉｏ  Ｆｒｅｑｕｅｎｃｙ  Ｉｄｅｎｔｉｆｉｃａｔｉｏｎ、ＲＦＩＤ）技術が消費分野やおもちゃ分野で使用されるようになっている。読み取り装置（Ｒｅａｄｅｒ）のコスト及び量産化を考慮し、おもちゃ分野では１２５ＫＨｚのＲＦＩＤ技術が使用されることが多い。デジタル無線伝送の観点からは、音声データを伝達する場合、同時にマルチタグ（Ｍｕｌｔｉ−Ｔａｇ）操作も行うため、基本的にデータ転送速度（Ｄａｔａ  Ｒａｔｅ）が速くなければ伝送エラーやデータ流出、コリジョン等の問題を処理できない。
【０００４】
また、ＥＭ４１００／４２００互換の規格では、データ転送速度（Ｄａｔａ  Ｒａｔｅ）が約１２５ＫＨｚ／１６＝７．８１２５Ｋｂｐｓであり、搬送波の周波数が低いため、データ転送速度も上がりにくかった。この速度では音声データ（Ａｕｄｉｏ  Ｄａｔａ）の伝達にやや不十分である。また、複数のＲＦＩＤタグ（Ｔａｇ）が存在する場合、コリジョン（Ｃｏｌｌｉｓｉｏｎ）の問題を処理しなければならないため、有効データ転送速度が更に低下した。
【０００５】
本願と同じ発明人による特許文献１には無線音楽タグ技術が記載されている。前記特許の記載では、タグはアナログ音波のみを伝送し、受信端末に一方向に音声を伝達することで上述の転送速度不足の問題を解決し、且つ同時に複数の音声を伝送させてミックスさせている。しかしながら、アナログ音声を持続的に不断で伝送する場合、使用者が上述の音楽タグにより伝達された音声を制御できなくなった。
【先行技術文献】
【特許文献】
【０００６】
【特許文献１】台湾登録実用新案第Ｍ５４２８９３号明細書
【発明の概要】
【発明が解決しようとする課題】
【０００７】
そこで、本発明者は上記の欠点が改善可能と考え、鋭意検討を重ねた結果、合理的設計で上記の課題を効果的に改善する本発明の提案に至った。
【０００８】
本発明は、かかる事情に鑑みてなされたものであり、その目的とするところは、音楽タグ対話システム及び音楽タグ対話方法を提供することにある。換言すれば、音楽タグ読み取り端末の電源供給部分から信号が変調されて音楽タグ端末に伝送され、音楽タグ端末が命令を復号させる。これにより、読み取り端末が音楽タグ端末に対して再生、一時停止、停止、繰り返し再生、前の曲へ移動、または次の曲へ移動等の制御を行えるようにする。
【課題を解決するための手段】
【０００９】
上記課題を解決するために、本発明のある態様の音楽タグ対話システムは、対話型音楽タグ及び対話型音楽タグ読み取り装置を備える。対話型音楽タグ読み取り装置はコイルにより前記対話型音楽タグに無線エネルギーを供給し、且つ前記音楽タグにより伝送される信号を読み取る。対話型音楽タグはＬＣ共振回路及びマイクロプロセッサを含む。ＬＣ共振回路は第一端及び第二端を具備する。マイクロプロセッサは前記ＬＣ共振回路の第一端及び第二端に接続される。対話型音楽タグが対話型音楽タグ読み取り装置に接近すると、ＬＣ共振回路が前記対話型音楽タグ読み取り装置から伝送された無線エネルギーを受信させ、マイクロプロセッサが起動された後、マイクロプロセッサが保存された音声データに基づいてＬＣ共振回路の第一端及びＬＣ共振回路の第二端にオーディオエンベロープ信号及び逆相オーディオエンベロープ信号を出力させる。対話型音楽タグ読み取り装置は無線エネルギー中に制御信号を挿入させ、マイクロプロセッサが共振回路の第一端または第二端のうちの一端により無線エネルギーを受信させ、制御信号を復号させると共に、制御信号に基づいてマイクロプロセッサがオーディオエンベロープ信号及び逆相オーディオエンベロープ信号の出力状態を制御させる。
【００１０】
また、本発明の好ましい実施形態に係る音楽タグ対話システムにおいて、上述のマイクロプロセッサは第一電源端と、第二電源端と、第一入出力ポートと、第二入出力ポートと、第三入出力ポートと、を備える。マイクロプロセッサの第一電源端はＬＣ共振回路の第一端に接続され、マイクロプロセッサの第二電源端はＬＣ共振回路の第二端に接続され、マイクロプロセッサの第一入出力ポートはＬＣ共振回路の第一端に接続され、マイクロプロセッサの第二入出力ポートはＬＣ共振回路の第二端に接続され、マイクロプロセッサの第三入出力ポートはＬＣ共振回路の第一端に接続される。マイクロプロセッサの第一入出力ポートからはオーディオエンベロープ信号が出力され、マイクロプロセッサの第二入出力ポートからは逆相オーディオエンベロープ信号が出力され、マイクロプロセッサの第三入出力ポートは制御信号の復号に用いられる。
【００１１】
また、本発明の好ましい実施形態に係る音楽タグ対話システムにおいて、上述の対話型音楽タグ対話システムは整流回路を更に備える。整流回路は第一入力端と、第二入力端と、第一出力端と、第二出力端と、を含む。整流回路の第一入力端はＬＣ共振回路の第一端に接続され、整流回路の第二入力端はＬＣ共振回路の第二端に接続される。マイクロプロセッサは第一電源端と、第二電源端と、第一入出力ポートと、第二入出力ポートと、第三入出力ポートと、を具備する。マイクロプロセッサの第一電源端は整流回路の第一出力端に接続され、マイクロプロセッサの第二電源端は整流回路の第二出力端に接続され、マイクロプロセッサの第一入出力ポートはＬＣ共振回路の第一端に接続され、マイクロプロセッサの第二入出力ポートはＬＣ共振回路の第二端に接続され、マイクロプロセッサの第三入出力ポートはＬＣ共振回路の第一端に接続され、マイクロプロセッサの第三入出力ポートはＬＣ共振回路の第一端に接続される。マイクロプロセッサの第一入出力ポートからはオーディオエンベロープ信号が出力され、マイクロプロセッサの第二入出力ポートからは逆相オーディオエンベロープ信号が出力され、マイクロプロセッサの第三入出力ポートは制御信号の復号に用いられる。
【００１２】
また、本発明の好ましい実施形態に係る音楽タグ対話システムにおいて、上述のＬＣ共振回路はインダクタンス及びコンデンサを備える。インダクタンスの第一端はＬＣ共振回路の第一端に接続され、インダクタンスの第二端はＬＣ共振回路の第二端に接続され、コンデンサの第一端はＬＣ共振回路の第一端に接続され、コンデンサの第二端はＬＣ共振回路の第二端に接続される。
【００１３】
また、本発明の好ましい実施形態に係る音楽タグ対話システムにおいて、マイクロプロセッサが保存された音声データに基づいてＬＣ共振回路の第一端及びＬＣ共振回路の第二端にオーディオエンベロープ信号及び逆相オーディオエンベロープ信号を出力させる。マイクロプロセッサはオーディオエンベロープ信号及び逆相オーディオエンベロープ信号を搬送波とし、振幅偏移変調（Ａｍｐｌｉｔｕｄｅ  Ｓｈｉｆｔ  Ｋｅｙｉｎｇ、ＡＳＫ）による変調が行われ、タグ識別コードがオーディオエンベロープ信号及び逆相オーディオエンベロープ信号に変調される。好ましい実施形態において、上述の出力状態は再生、停止、早送り、早戻し、一時停止、及び２倍速再生を含む。また、好ましい実施形態において、オーディオエンベロープ信号はアナログ音声信号及び共振信号がアナログ変調されることで獲得され、逆相オーディオエンベロープ信号は逆相アナログ音声信号及び共振信号がアナログ変調されることで獲得される。共振信号の周波数はＬＣ共振回路の共振周波数に実質的に等しい。
【００１４】
また、本発明の別の態様は、音楽タグ対話方法である。この方法は、少なくとも１つの対話型音楽タグ及び対話型音楽タグ読み取り装置に適用される。対話型音楽タグ対話方法は、対話型音楽タグが対話型音楽タグ読み取り装置に接近した場合、対話型音楽タグに無線エネルギーが出力されて対話型音楽タグが起動されるステップと、対話型音楽タグのＬＣ共振回路のコイルにオーディオエンベロープ信号が出力されてアナログ音声信号が対話型音楽タグ読み取り装置に伝送されるステップと、対話型音楽タグ読み取り装置が対話型音楽タグに対して出力制御を行った場合、無線エネルギー中に制御信号が挿入されるステップと、対話型音楽タグ装置が対話型音楽タグのＬＣ共振回路により無線エネルギーを受信させた場合、無線エネルギーに対する復号化が行われ、制御信号が復号されるステップと、制御信号に基づいてオーディオエンベロープ信号の出力状態が制御されるステップと、を含む。
【００１５】
また、本発明の好ましい実施形態に係る音楽タグ対話方法において、上述の出力状態は再生、停止、早送り、早戻し、一時停止、及び２倍速再生を含む。また、好ましい実施形態において、保存された音声データに基づいてＬＣ共振回路にオーディオエンベロープ信号が出力されると、オーディオエンベロープ信号を搬送波とし、振幅偏移変調（Ａｍｐｌｉｔｕｄｅ  Ｓｈｉｆｔ  Ｋｅｙｉｎｇ、ＡＳＫ）による変調が行われ、タグ識別コードがオーディオエンベロープ信号に変調され、対話型音楽タグ読み取り装置によりタグのシリアル番号が復号される。
【発明の効果】
【００１６】
このように、本発明によれば、次のような効果がある。
【００１７】
本発明の精神は、タグに供給される無線エネルギーに制御信号が変調されることで、音楽タグに命令が与えられ、音楽タグが復号により命令を獲得して出力されるアナログ音楽信号に反映させることにある。これにより、音楽タグ読み取り装置及び音楽タグの両者の操作性を達成させ、両者の対話性を更に促進させる。  
【００１８】
本発明の他の特徴については、本明細書及び添付図面の記載により明らかにする。
【図面の簡単な説明】
【００１９】
【図１】従来のＲＦＩＤタグ回路を示す回路図である。
【図２Ａ】本発明の好ましい実施形態に係る音楽タグ対話システムを示す回路図である。
【図２Ｂ】本発明の好ましい実施形態に係る音楽タグ対話システムを示す回路図である。
【図３】本発明の好ましい実施形態に係る音楽タグ対話システムを示す動作波形図である。
【図４】本発明の好ましい実施形態に係る音楽タグ対話システムの対話音楽タグ読出装置を示す声音再生回路図である。
【図５】本発明の好ましい実施形態に係る音楽タグ対話システムの対話音楽タグ読出装置２１が対話音楽タグ２０の命令を与える動作波形図である。
【図６】本発明の好ましい実施形態に係る音楽タグ対話システムを示す動作波形図である。
【図７Ａ】本発明の好ましい実施形態に係る音楽タグ対話方法の対話音楽タグ読出装置を示すフローチャートである。
【図７Ｂ】本発明の好ましい実施形態に係る音楽タグ対話方法の対話音楽タグを示すフローチャートである。
【発明を実施するための形態】
【００２０】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２１】
本明細書及び図面の記載により、少なくとも、以下の事項が明らかとなる。まず、図２Ａは本発明の好ましい実施形態に係る音楽タグ対話システムを示す回路図である。図２Ａを参照すれば、音楽タグ対話システムは対話型音楽タグ２０及び対話型音楽タグ読み取り装置２１を備える。対話型音楽タグはＬＣ共振回路２０１及びマイクロプロセッサ２０２を含む。ＬＣ共振回路２０１はインダクタンス２０３及びコンデンサ２０４で構成され、マイクロプロセッサ２０２の第一入出力ポートはＬＣ共振回路２０１のインダクタンス２０３に接続され、マイクロプロセッサ２０２の第二入出力ポートはＬＣ共振回路２０１のコンデンサ２０４に接続され、マイクロプロセッサ２０２の第三入出力ポートはＬＣ共振回路２０１のインダクタンス２０３に接続され、マイクロプロセッサ２０２の電源端及び共接続端はブリッジ整流回路２０５の第一出力端及び第二出力端にそれぞれ接続される。ブリッジ整流回路２０５の第一入力端及び第二入力端はＬＣ共振回路２０１のインダクタンス２０３及びＬＣ共振回路２０１のコンデンサ２０４にそれぞれ接続される。
【００２２】
対話型音楽タグ読み取り装置２１はコイルにより対話型音楽タグに無線エネルギーを供給し、且つ前記対話型音楽タグにより伝送される信号を読み取る。一般的には、対話型音楽タグ読み取り装置２１はＲＦＩＤ読み取り装置またはＮＦＣ読み取り装置に類似する。一般的には、対話型音楽タグ２０が対話型音楽タグ読み取り装置２１のコイルに接近すると、対話型音楽タグ２０のＬＣ共振回路２０１が無線エネルギーを受信させ、この部分はＲＦＩＤ装置またはＮＦＣ装置に非常に類似する。その後、対話型音楽タグ２０が起動される。この際、マイクロプロセッサ２０２の第一入出力ポートからオーディオエンベロープ信号が出力され、マイクロプロセッサ２０２の第二入出力ポートから逆相オーディオエンベロープ信号が出力される。
【００２３】
図２Ｂは本発明の好ましい実施形態に係る音楽タグ対話システムを示す回路図である。図２Ｂを参照すれば、この回路と図２Ａの回路との差異は、図２Ａのブリッジ整流回路２０５がマイクロプロセッサ２０２に内蔵され、マイクロプロセッサ２０２が２つのピンにより外付けコンデンサ２０６を別途配置する必要がある点である。
【００２４】
図３は本発明の好ましい実施形態に係る音楽タグ対話システムを示す動作波形図である。このオーディオエンベロープ信号は図３に示されるように、図４は本発明の好ましい実施形態に係る音楽タグ対話システムの対話音楽タグ読出装置を示す声音再生回路図である。図３及び図４に示されるように、図３から分かるように、オーディオエンベロープ信号の波形は、共振周波数の波形３０１及び対話型音楽タグ２０内のマイクロプロセッサ２０２に保存される音声データが変換されたアナログ音声信号３０２及び逆相アナログ音声信号３０３で構成される。共振周波数の波形３０１を使用する理由は、ＬＣ共振回路はその周波数の波形を共振により受信し、エネルギーを対話型音楽タグ読み取り装置２１に返送させるためである。このため、対話型音楽タグ読み取り装置２１が上述のオーディオエンベロープ信号の波形信号を受信するのみで、その信号がパケット検出回路４０１によりパケットがキャプチャされ、ＲＣフィルタ回路４０２によりフィルタリングが行われ、アナログ音声信号３０２が復元される。最後にスピーカー４０３から上述の音声信号３０２が出力される。
【００２５】
図５は本発明の好ましい実施形態に係る音楽タグ対話システムの対話型音楽タグ読み取り装置２１が対話型音楽タグ２０に命令を与える動作波形図を示す。図５を参照すれば、対話型音楽タグ読み取り装置２１が対話型音楽タグ２０に命令を伝送する際に、対話型音楽タグ読み取り装置２１が伝送される無線エネルギーの波形に対し開閉キー（Ｏｎ−Ｏｆｆ  ｋｅｙｉｎｇ，ＯＯＫ）の制御を行う。図５に示されるように、無線エネルギーのオフ時間を十分短くすることで、対話型音楽タグ２０の電力がＶＤＤ／ＶＳＳ間のコンデンサから供給され、対話型音楽タグ２０の集積回路の正常な動作が維持される。この際、対話型音楽タグ２０は第三入出力ポートＩＯ３により無線エネルギーの波形のオフ（ｏｆｆ）時間を読み取り、対話型音楽タグ読み取り装置２１から伝送される命令を獲得させる。これにより、対話型音楽タグ読み取り装置２１が対話型音楽タグ２０に対して再生、一時停止、早送り、早戻し、停止、２倍速再生、３倍速再生等の命令を伝送させる。対話型音楽タグ２０は上述の命令の違いに応じてオーディオエンベロープ信号の波形信号、オーディオエンベロープ信号の出力一時停止の波形信号、オーディオエンベロープ信号の出力停止の波形信号、或いはオーディオエンベロープ信号の２倍速出力の波形信号等を出力させる。
【００２６】
図６は本発明の好ましい実施形態に係る音楽タグ対話システムを示す動作波形図である。図６を参照すれば、仮に対話型音楽タグ２０が１つではない場合、対話型音楽タグ読み取り装置２１は異なる音楽タグに対して制御を行う。この際、対話型音楽タグ２０は対話型音楽タグ読み取り装置２１のタグ識別コード（Ｔａｇ  ＩＤ）を告知し、対話型音楽タグ読み取り装置２１は開閉キー内に識別コードを加えることで対応する対話型音楽タグ２０を制御させる。この実施形態では、対話型音楽タグ２０はアナログオーディオエンベロープ信号に振幅偏移変調（Ａｍｐｌｉｔｕｄｅ  Ｓｈｉｆｔ  Ｋｅｙｉｎｇ、ＡＳＫ）コードが変調されることで、タグ識別コードが対話型音楽タグ読み取り装置２１に返送される。また、各国で認証不要なＲＦＩＤコード（ＲＦＩＤ）の周波数を考慮し、無線周波数搬送波には５３０ＫＨｚの周波数帯が採用される。よって、図６では、データ転送速度が２０Ｋｂｐｓである。この実施形態では理解を促すため、図では５００ＫＨｚの共振波形を例とし、且つ１０周期（ｃｙｃｌｅ）をデータビット（ｄａｔａ  ｂｉｔ）とする。
【００２７】
対話型音楽タグ読み取り装置２１が復号を行う場合、オーディオエンベロープ信号を音声信号に復元させて上述のＡＳＫ変調による信号と比較するのみで、上述の対話型音楽タグ２０のタグ識別コード（Ｔａｇ  ＩＤ）が復号される。図７Ａは本発明の好ましい実施形態に係る音楽タグ対話方法の対話音楽タグ読出装置を示すフローチャートである。図７Ａに示されるように、音楽タグ対話方法は下記のステップを含む。
ステップＳ７０１：開始。
ステップＳ７０２：前記対話型音楽タグに無線エネルギーが出力され、対話型音楽タグが起動される。
ステップＳ７０３：対話型音楽タグから伝送されるオーディオエンベロープ信号が受信される。
ステップＳ７０４：上述のオーディオエンベロープ信号が復号され、対話型音楽タグのタグ識別コードが獲得される。
ステップＳ７０５：使用者が命令を入力したかどうかが判断される。一般的には、対話型音楽タグ読み取り装置には再生ボタン、一時停止ボタン、早送りボタン、早戻しボタン、停止ボタン、倍速再生ボタン等のボタンが配置される。
ステップＳ７０６：上述の入力された命令に基づいて、無線エネルギーに制御信号が変調される。
【００２８】
図７Ｂは本発明の好ましい実施形態に係る音楽タグ対話方法の対話音楽タグを示すフローチャートである。図７Ｂに示されるように、音楽タグ対話方法は下記のステップを含む。
ステップＳ７０７：開始。
ステップＳ７０８：無線エネルギーが受信される。無線エネルギーは一般的に対話型音楽タグ読み取り装置から伝送される電磁エネルギーである。
ステップＳ７０９：対話型音楽タグのＬＣ共振回路のコイルにオーディオエンベロープ信号が出力されて前記対話型音楽タグ読み取り装置にアナログ音声信号が伝送される。
ステップＳ７１０：無線エネルギーに制御信号が含まれているかどうかが判断される。この実施形態では、制御信号は開閉キー（ｏｎ／ｏｆｆ  ｋｅｙ、ＯＯＫ）の形式で送信される。無線エネルギーが中断される状況があったと判断されることのみで、対話型音楽タグ読み取り装置が対話型音楽タグに制御信号を送信したことを知ることができる。制御信号が送信されていない場合、判断を持続させる。制御信号が送信された場合はステップＳ７１１に進む。
ステップＳ７１１：無線エネルギーに対して復号が行われ、前記制御信号が復号される。
ステップＳ７１２：前記制御信号に基づいて前記オーディオエンベロープ信号の出力状態が制御される。例えば、再生、一時停止、早送り、早戻し、停止、２倍速再生、３倍速再生等の命令が制御される。完了後にステップＳ７１０に戻り判断を持続させる。
【００２９】
以上を総合すると、本発明の精神は、タグに無線エネルギーが供給され、制御信号が変調されることにより、音楽タグに命令が与えられ、音楽タグが復号されることにより命令が獲得されて出力されるアナログ音楽信号に反映される。これにより、音楽タグ読み取り装置及び音楽タグの両者の操作性が達成され、両者の対話性が高まる。
【００３０】
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００３１】
２０  対話型音楽タグ
２１  対話型音楽タグ読み取り装置
２０１  ＬＣ共振回路
２０２  マイクロプロセッサ
２０３  インダクタンス
２０４  コンデンサ
２０５  ブリッジ整流回路
２０６  外付けコンデンサ
３０１  共振周波数の波形
３０２  アナログ音声信号
３０３  逆相アナログ音声信号
４０１  パケット検出回路
４０２  ＲＣフィルタ回路
４０３  スピーカー
Ｓ７０１  本発明の音楽タグ対話方法では、対話型音楽タグ読み取り装置のステップ
Ｓ７０２  本発明の音楽タグ対話方法では、対話型音楽タグ読み取り装置のステップ
Ｓ７０３  本発明の音楽タグ対話方法では、対話型音楽タグ読み取り装置のステップ
Ｓ７０４  本発明の音楽タグ対話方法では、対話型音楽タグ読み取り装置のステップ
Ｓ７０５  本発明の音楽タグ対話方法では、対話型音楽タグ読み取り装置のステップ
Ｓ７０６  本発明の音楽タグ対話方法では、対話型音楽タグ読み取り装置のステップ
Ｓ７０７  本発明の音楽タグ対話方法では、対話型音楽タグのステップ
Ｓ７０８  本発明の音楽タグ対話方法では、対話型音楽タグのステップ
Ｓ７０９  本発明の音楽タグ対話方法では、対話型音楽タグのステップ
Ｓ７１０  本発明の音楽タグ対話方法では、対話型音楽タグのステップ
Ｓ７１１  本発明の音楽タグ対話方法では、対話型音楽タグのステップ
Ｓ７１２  本発明の音楽タグ対話方法では、対話型音楽タグのステップ
【図１】
2020144866.tif 000003
【図２Ａ】
2020144866.tif 000004
【図２Ｂ】
2020144866.tif 000005
【図３】
2020144866.tif 000006
【図４】
2020144866.tif 000007
【図５】
2020144866.tif 000008
【図６】
2020144866.tif 000009
【図７Ａ】
2020144866.tif 000010
【図７Ｂ】
2020144866.tif 000011